(57)【要約】【課題】電子機器を大きくすることなく、燃料電池に空気を確実に供給することができるようにする。【解決手段】鏡筒６は、デジタルカメラ１の筐体２に対して、突出する第１の位置と、沈胴する第２の位置との間で移動する。デジタルカメラ１の使用時に、鏡筒６が第１の位置に移動すると、筐体２の底面２Ａに形成された空気穴２２から、電池室１２、空気穴２０を介して貯蔵部２５には空気が蓄積される。空気穴２２が、デジタルカメラ１の使用時に使用者の指で一時的に塞がれた場合においても、燃料電池２３には貯蔵部２５の空気が空気穴２０を介して供給される。【選択図】      図４
2004214109.tif 000002
【特許請求の範囲】
【請求項１】
燃料電池を使用する電子機器であって、
第１の位置と、前記第１の位置とは異なる第２の位置との間で移動する移動部材と、
前記移動部材が前記第２の位置から前記第１の位置に移動することにより生成され、空気を貯蔵する貯蔵部と、
前記電子機器の筐体の外からの空気を取り込む第１の開口部と、
前記燃料電池を収容する電池室に、前記貯蔵部の空気を供給する第２の開口部とを備えることを特徴とする電子機器。
【請求項２】
前記電子機器はフィルムカメラまたはデジタルカメラであり、
前記移動部材は、前記フィルムカメラまたはデジタルカメラの使用時に、前記筐体から突出することで、前記第１の位置に移動し、前記貯蔵部を生成する鏡筒であることを特徴とする請求項１に記載の電子機器。
【請求項３】
前記第１の開口部は前記電池室に設けられ、
前記第２の開口部は前記電池室と前記貯蔵部との間に設けられ、
前記電子機器の前記筐体の外からの前記空気は、前記第１の開口部より取り入れられ、前記電池室を通り、前記第２の開口部を介して前記貯蔵部に貯蔵され、前記貯蔵部に貯蔵された前記空気は、前記第２の開口部を介して前記電池室に供給されることを特徴とする請求項２に記載の電子機器。
【請求項４】
前記電子機器はフィルムカメラまたはデジタルカメラであり、
前記移動部材は、前記フィルムカメラまたはデジタルカメラの使用時に、前記筐体から突出することで、前記第１の位置に移動し、前記貯蔵部を生成するフラッシュ発光部であることを特徴とする請求項１に記載の電子機器。
【請求項５】
前記移動部材は、前記電子機器の使用時に、前記筐体から突出することで、前記第１の位置に移動し、前記貯蔵部を生成するカプセルタイプの摺動カバーであることを特徴とする請求項１に記載の電子機器。
【請求項６】
前記第１の開口部は前記貯蔵部に設けられ、
前記第２の開口部は前記貯蔵部と前記電池室との間に設けられ、
前記電子機器の前記筐体の外からの前記空気は、前記第１の開口部より取り入れられ、前記貯蔵部に貯蔵され、前記貯蔵部に貯蔵された前記空気は、前記第２の開口部を介して前記電池室に供給されることを特徴とする請求項４または５に記載の電子機器。
【発明の詳細な説明】
【０００１】
【発明の属する技術分野】
本発明は、電子機器に関し、特に、燃料電池に空気を確実に供給することができるようにした電子機器に関する。
【０００２】
【従来の技術】
携帯電話機をはじめとする携帯型の電子機器の小型化や高機能化にともない、電源となる電池には一層の小型化と大容量化が求められている。そこで、現在よく使われているリチウムイオン電池などと比べてエネルギ密度が高い小型の燃料電池が開発され、実用化されつつある。
【０００３】
【発明が解決しようとする課題】
こうした燃料電池は、発電に利用する酸素を大気中から取り込む。したがって、燃料電池を使用する電子機器は、発電を継続するために、燃料電池への外気の供給を維持する必要がある。
【０００４】
そこで、燃料電池に外気を供給するために、外観部材（ケース）に通気口となる開口部を設けることが考えられる。
【０００５】
しかしながら、携帯型の電子機器として、例えば、カメラを想定した場合、カメラは、ユーザにより手で所持されるため、開口部が握った手で塞がれてしまい、特に電力の供給が必要とされる使用時において、燃料電池に空気を充分に供給することができなくなってしまう課題があった。
【０００６】
そこで、カメラとしては短時間でも動作できれば、十分であるので、二次電池と同時に使うなどして、予備電源の役割を果たす電気的手段を用意するか、電池室を電池に比べて十分大きくし、電池室の容積を増やすことによって、外気の流入が停止した時でも発電時間を延ばすことが考えられる。
【０００７】
しかしながら、こうした方法は、コストの増大や、カメラの大きさが大きくなってしまう課題があった。
【０００８】
本発明はこのような状況に鑑みてなされたものであり、電子機器を大きくすることなく、空気を内部に蓄積し、燃料電池に供給することができるようにするものである。
【０００９】
【課題を解決するための手段】
本発明の電子機器は、第１の位置と、前記第１の位置とは異なる第２の位置との間で移動する移動部材と、移動部材が第２の位置から第１の位置に移動することにより生成され、空気を貯蔵する貯蔵部と、電子機器の筐体の外からの空気を取り込む第１の開口部と、燃料電池を収容する電池室に、貯蔵部の空気を供給する第２の開口部とを備えることを特徴とする。
【００１０】
前記電子機器はフィルムカメラまたはデジタルカメラであり、移動部材は、フィルムカメラまたはデジタルカメラの使用時に、筐体から突出することで、第１の位置に移動し、貯蔵部を生成する鏡筒とすることができる。
【００１１】
前記第１の開口部は電池室に設けられ、第２の開口部は電池室と貯蔵部との間に設けられ、電子機器の筐体の外からの空気は、第１の開口部より取り入れられ、電池室を通り、第２の開口部を介して貯蔵部に貯蔵され、貯蔵部に貯蔵された空気は、第２の開口部を介して電池室に供給させるようにすることができる。
【００１２】
前記電子機器はフィルムカメラまたはデジタルカメラであり、移動部材は、フィルムカメラまたはデジタルカメラの使用時に、筐体から突出することで、第１の位置に移動し、貯蔵部を生成するフラッシュ発光部とすることができる。
【００１３】
前記移動部材は、電子機器の使用時に、筐体から突出することで、第１の位置に移動し、貯蔵部を生成するカプセルタイプの摺動カバーとすることができる。
【００１４】
前記第１の開口部は貯蔵部に設けられ、第２の開口部は貯蔵部と電池室との間に設けられ、電子機器の筐体の外からの空気は、第１の開口部より取り入れられ、貯蔵部に貯蔵され、貯蔵部に貯蔵された空気は、第２の開口部を介して電池室に供給させるようにすることができる。
【００１５】
本発明においては、移動部材が第２の位置から第１の位置に移動することにより生成される貯蔵部に空気が貯蔵され、第１の開口部から、筐体の外からの空気が取り込まれ、燃料電池を収容する電池室に、貯蔵部の空気が第２の開口部から供給される。
【００１６】
【発明の実施の形態】
図１乃至図４は、本発明を適用したデジタルカメラの第１の実施の形態を表している。図１は、デジタルカメラ１の正面の外観の構成を表している。
【００１７】
図１に示されるように、筐体２の中央の若干右側に、鏡筒６が配置されている。鏡筒６は撮影に使用する撮影レンズ７を内部に保持している。デジタルカメラ１の上端部で、図１の左上には、シャッタボタン３が配置されている。鏡筒６の図中、上側には、ファインダ５が配置されている。使用者は、ファインダ５を覗き、被写体（図示せず）を確認し、所定のタイミングでシャッタボタン３を押し、被写体の撮影を行う。
【００１８】
鏡筒６の図中、左上には、光量の不足時に閃光を放ち、被写体を照明するフラッシュ４が配置されている。筐体２の図中、左下には、電池室１２（図２）の燃料電池２３（図３）のメンテナンス時や交換時に開閉される電池蓋８が設けられている。
【００１９】
図２は、デジタルカメラ１の正面から見た主要構成部品のレイアウトを示している。電池室１２は鏡筒６の図中、左下であって、デジタルカメラ１の底面に配置されている。鏡筒６の左側には、フラッシュ４に供給する電力を蓄えるフラッシュ用コンデンサ１３が配置されている。フラッシュ用コンデンサ１３の左側には、フラッシュ４の動作制御を行うフラッシュ回路１４が配置されている。フラッシュ回路１４の図中、下方であって、電池室１２の図中、上方には、撮影された被写体の画像データが保存されるメモリーカード１５が配置されている。
【００２０】
鏡筒６の右下には鏡筒モータ１１が配置されている。鏡筒モータ１１の回転は、鏡筒駆動ギア系１０を介して、ギア９に伝達される。ギア９は鏡筒６に噛合しており、回転されたとき、鏡筒６を進退させる。
【００２１】
図３および図４は、デジタルカメラ１の鏡筒６付近の縦断面の構成を表し、図３は、鏡筒６の沈胴時の状態（電源がオフの状態）を表し、図４は、鏡筒６の突出時の状態（電源がオンの状態）を表している。筐体２の底面２Ａには、電池室１２と連通する空気穴２２が形成され、鏡筒６を保持している固定筒１６の下部には、電池室１２に連通するように、空気穴２０が形成されている。
【００２２】
鏡筒６の内部には、撮影レンズ７を介して入射される被写体からの光の、撮像素子１８への供給を制御するシャッタユニット１９が配置されている。鏡筒６の後方には、デジタルカメラ１を制御する各種回路が組み込まれている実装基板１７が配置されている。この実装基板１７上には、被写体からの光信号を電気信号に変換しデジタル画像にする撮像素子１８も配置されている。
【００２３】
空気穴２２の電池室１２側には、通気性と撥水性とを併せ持つ撥水シート２４が貼られていて、空気は通過させるが、水や埃が電池室１２内に入らないようにしてある。同様に、空気穴２０の電池室１２側には、撥水シート２１が貼られている。
【００２４】
使用者が図示せぬメインスイッチ（電源スイッチ）をオンさせると、鏡筒モータ１１が駆動され、その回転が鏡筒駆動ギア系１０、ギア９を介して鏡筒６に伝達され、鏡筒６が突出することにより、図４に示される状態となり、鏡筒６の背面側のシャッタユニット１９と撮像素子１８の間に、空気を貯蔵する貯蔵部２５が生成される（貯蔵部２５の容積が大きくなる）。従って、このとき貯蔵部２５の気圧が下がり、外気が、空気穴２２より取り入れられ、電池室１２を介して、空気穴２０より貯蔵部２５に供給され、貯蔵される。
【００２５】
その結果、その後、デジタルカメラ１の使用時に、使用者の手で空気穴２２が塞がれたとしても、貯蔵部２５の空気が空気穴２０を介して電池室１２に供給されるので、しばらくの間（空気穴２２が使用者の手で塞がれている間）、燃料電池２３の発電が可能である。
【００２６】
このように、本実施の形態によれば、デジタルカメラ１の使用時（電源がオンの状態）に、鏡筒６が突出することにより生じる貯蔵部２５に蓄積した空気により、デジタルカメラ１の外部からの空気の流入が止まっても、燃料電池２３の発電を継続することができる。
【００２７】
図５乃至図１０は、本発明を適用したデジタルカメラの第２の実施の形態を表している。図５は、フラッシュ４６が筐体４２内に収納された状態のデジタルカメラ４１の正面の外観の構成を表し、図６は、フラッシュ４６が筐体４２の上方に突出した状態のデジタルカメラ４１の正面の外観の構成を表している。
【００２８】
筐体４２の正面のほぼ中央には、鏡筒４９が配置され、この鏡筒４９は、撮影に使用する撮影レンズ５０を内部に保持している。デジタルカメラ４１の上端部で、図５の左上には、シャッタボタン４３が配置されている。鏡筒４９の図中、上側には、ファインダ４４が配置されている。使用者は、ファインダ４４を覗き、被写体（図示せず）を確認し、所定のタイミングでシャッタボタン４３を押し、被写体の撮影を行う。鏡筒４９の図中、右上には、光量の不足時に閃光を放ち、被写体を照明するフラッシュ４６が配置されている。
【００２９】
使用者がポップアップレバー４７を図中左に操作したとき、フラッシュ４６は、図５の収納された状態から、図６の突出した状態にされる。図５に示されるように、筐体４２のフラッシュ４６の前面には、空気穴４５が形成されている。また、筐体４２の内部の鏡筒４９の右側の図中の２点鎖線で示される位置には、電池室４８が形成されている。
【００３０】
図７および図８は、フラッシュ４６のホップアップ機構の構成を表している。
図７はフラッシュ４６が収納された状態を表し、図８はフラッシュ４６が突出した状態を表している。図７に示されるように、ノブガイドリブ５４により保持され、左右にスライドするポップアップレバー４７は、付勢ばね５５により、図中、右方向に付勢されている。また、ポップアップレバー４７は、連動板５１の係止部５６に当接することにより、付勢ばね５３により、図中、上方向に付勢されている連動板５１を下位置に係止させる。
【００３１】
連動板５１の上端部にはフラッシュ４６が取り付けられている。その結果フラッシュ４６は、連動板５１と一体に上下に摺動する。連動板５１のガイド溝５１Ａに連動板ガイド５２が嵌合している。従って、連動板５１の上下方向の移動はこのガイド溝５１Ａと連動板ガイド５２との係合によりガイドされる。
【００３２】
使用者がポップアップレバー４７を付勢ばね５５の付勢力に抗して左側に操作すると、ポップアップレバー４７による連動板５１の係止部５６の係止がはずれる。その結果、付勢ばね５３が縮むことにより、連動板５１、従って、フラッシュ４６が図中、上方向に付勢され、図７の状態から図８の突出した状態となる。
連動板５１は、ガイド溝５１Ａの図中下側の端部が、図中下側の連動板ガイド５２に当接した位置で停止する。
【００３３】
図９は、連動板５１の付勢ばね５３付近を拡大した縦断面の構成を表している。フラッシュ４６は、連動板５１の上端部に取り付けられ、連動板５１は連動板押さえ板５７により保持されている。筐体４２の内部のデジタルカメラ４１の背面側（図中右側）には、デジタルカメラ４１を制御する各種回路が組み込まれている実装基板５８が配置されている。筐体４２の下端面には、電池室４８の燃料電池６０のメンテナンス時や交換時に開閉される電池蓋５９が形成されている。
【００３４】
図１０は、ポップアップレバー４７付近を拡大した縦断面の構成を表している。使用者がポップアップレバー４７を、図７において左側（図１０において、紙面と垂直な方向）に操作し、フラッシュ４６が筐体４２上部に突出することにより生じた（容積が大きくなった）貯蔵部６３には、空気穴４５より外気が取り入れられ、貯蔵される。筐体４２の貯蔵部６３と電池室４８との間には、空気穴６２が形成され、空気穴６２により電池室４８には貯蔵部６３の空気が供給される。これにより、使用者の手で空気穴４５が塞がれたとしても、貯蔵部６３の空気を利用して、しばらくの間、燃料電池６０の発電が可能である。
【００３５】
空気穴４５の貯蔵部６３側には、通気性と撥水性とを併せ持つ撥水シート６１が貼られていて、空気は通過させるが、水や埃がデジタルカメラ４１内に入らないようにしてある。同様に、空気穴６２の電池室４８側には、撥水シート６４が貼られている。
【００３６】
本実施の形態によれば、フラッシュ４６が突出することにより生じる貯蔵部６３に蓄積した空気により、デジタルカメラ４１の外部からの空気の流入が止まっても、燃料電池６０の発電を継続することができる。
【００３７】
図１１乃至図１４は、本発明を適用したデジタルカメラの第３の実施の形態を表している。図１１は、カプセルカバー７４を閉じた状態のデジタルカメラ７１の正面の外観の構成を表し、図１２は、カプセルカバー７４を開いた状態のデジタルカメラ７１の正面の外観の構成を表している。
【００３８】
図１１に示されるように、デジタルカメラ７１の非使用時に、カプセルカバー７４は、デジタルカメラ７１の筐体７２の全体のうちの左側のほぼ３／４を覆い、鏡筒７８、フラッシュ７６およびファインダ７７を露出させない状態にして保護している。
【００３９】
図１２に示されるように、デジタルカメラ７１の使用時に、カプセルカバー７４は、図１１において左方向にスライドされ、鏡筒７８、フラッシュ７６およびファインダ７７を露出した状態にする。
【００４０】
鏡筒７８は、撮影に使用する撮影レンズ７９を内部に保持している。デジタルカメラ７１の上端部で、図１２の左上には、シャッタボタン７３が配置されている。鏡筒７８の図中、右上には、ファインダ７７が配置されている。使用者は、ファインダ７７を覗き、被写体を確認し、所定のタイミングでシャッタボタン７３を押し、被写体の撮影を行う。
【００４１】
ファインダ７７の左側には、光量の不足時に閃光を放ち、被写体を照明するフラッシュ７６が配置されている。筐体７２の内部の、図１２において、鏡筒７８の左側の図中の２点鎖線で示される位置には、電池室８０が形成されている。カプセルカバー７４の中央部分には、外部とカプセルカバー７４内部とを連通する空気穴７５が形成されている。
【００４２】
図１３は、カプセルカバー７４を閉じた状態のデジタルカメラ７１の水平断面の構成を示す。図１４は、カプセルカバー７４を開いた状態のデジタルカメラ７１の水平断面の構成を示す。
【００４３】
図１３に示されるように、鏡筒７８の後方（図１３の上方向）には、デジタルカメラ７１を制御する各種回路が組み込まれている実装基板８２が配置されている。被写体からの光信号を電気信号に変換しデジタル画像にする撮像素子８３が、この実装基板８２上に配置されている。鏡筒７８の図中、右側には、フラッシュ７６に供給する電力を蓄えるフラッシュ用コンデンサ８９が配置されている。
フラッシュ用コンデンサ８９の図中、上側には、撮影された被写体の画像データを保存するメモリーカード８１が配置されている。
【００４４】
鏡筒７８の図中、左側には、電池室８０が形成されている。電池室８０には燃料電池８４が配置され、筐体７２の左端部には、電池室８０と連通する空気穴８５が形成されている。
【００４５】
図１４に示されるように、使用者がデジタルカメラ７１の使用時に、カプセルカバー７４を図中、左方向にスライドすると、カプセルカバー７４内に生じた貯蔵部９０には、空気穴７５より外気が取り入れられ、貯蔵される。電池室８０には、空気穴８５により貯蔵部９０の空気が供給される。これにより、使用者の手で空気穴７５が塞がれたとしても、貯蔵部９０の空気を利用して、しばらくの間、燃料電池８４の発電が可能である。
【００４６】
空気穴７５の貯蔵部９０側には、通気性と撥水性とを併せ持つ撥水シート８７が貼られていて、空気は通過させるが、水や埃が貯蔵部９０内に入らないようにしてある。同様に、空気穴８５の電池室８０側には、撥水シート８６が貼られている。
【００４７】
図１５は、第４の実施の形態の構成を表している。このデジタルカメラ１０１は、図１１乃至図１４に示されるデジタルカメラ７１の筐体７２における電池室８０の側面の部分を開放した構成とされている。このようにすることで、燃料電池８４は貯蔵部９０に蓄積された空気により触れ易くなる。
【００４８】
第３および第４の実施の形態によれば、カプセルカバー７４が突出することにより、生じる貯蔵部９０に蓄積した空気により、外部からの空気の流入が止まっても、燃料電池８０の発電を継続することができる。
【００４９】
以上、本発明を、デジタルカメラに適用した場合を例として説明したが、本発明は、フィルムを使用するカメラ（フィルムカメラ）、その他の電子機器に適用することが可能である。
【００５０】
【発明の効果】
以上のように、本発明の電子機器によれば、電子機器を大きくすることなく、内部に空気を蓄積し、燃料電池に供給することが可能となる。
【図面の簡単な説明】
【図１】本発明を適用したデジタルカメラの第１の実施の形態の構成を示す正面図である。
【図２】図１のデジタルカメラの主要構成部品のレイアウトを示す正面図である。
【図３】図１のデジタルカメラの鏡筒の沈胴時の状態の構成を示す縦断面図である。
【図４】図１のデジタルカメラの鏡筒の突出時の状態の構成を示す縦断面図である。
【図５】本発明を適用したデジタルカメラの第２の実施の形態の、フラッシュが収納された状態の構成を示す正面図である。
【図６】図５のデジタルカメラのフラッシュが突出した状態の構成を示す正面図である。
【図７】図５のデジタルカメラのフラッシュのホップアップ機構の、フラッシュが収納された状態の構成を示す図である。
【図８】図５のデジタルカメラのフラッシュのホップアップ機構の、フラッシュが突出した状態の構成を示す図である。
【図９】図５のデジタルカメラの連動板の付勢ばね付近の構成を拡大して示す縦断面図である。
【図１０】図５のデジタルカメラのポップアップレバー付近の構成を拡大して示す縦断面図である。
【図１１】
本発明を適用したデジタルカメラの第３の実施の形態の、カプセルカバーを閉じた状態の構成を示す正面図である。
【図１２】図１１のデジタルカメラのカプセルカバーを開いた状態の構成を示す正面図である。
【図１３】図１１のデジタルカメラのカプセルカバーを閉じた状態の構成を示す水平断面図である。
【図１４】図１１のデジタルカメラのカプセルカバーを開いた状態の構成を示す水平断面図である。
【図１５】本発明を適用したデジタルカメラの電池室の側面部分を開放した状態の構成を示す水平断面図である。
【符号の説明】
１  デジタルカメラ
６  鏡筒
１２  電池室
２０，２２  空気穴
２３  燃料電池
２５  貯蔵部
４１  デジタルカメラ
４５  空気穴
４６  フラッシュ
４８  電池室
６０  燃料電池
６２  空気穴
６３  貯蔵部
７１  デジタルカメラ
７４  カプセルカバー
７５  空気穴
８０  電池室
８４  燃料電池
８５  空気穴
９０  貯蔵部
１０１  デジタルカメラ
【図１】
2004214109.tif 000003
【図２】
2004214109.tif 000004
【図３】
2004214109.tif 000005
【図４】
2004214109.tif 000006
【図５】
2004214109.tif 000007
【図６】
2004214109.tif 000008
【図７】
2004214109.tif 000009
【図８】
2004214109.tif 000010
【図９】
2004214109.tif 000011
【図１０】
2004214109.tif 000012
【図１１】
2004214109.tif 000013
【図１２】
2004214109.tif 000014
【図１３】
2004214109.tif 000015
【図１４】
2004214109.tif 000016
【図１５】
2004214109.tif 000017